(57)【特許請求の範囲】
【請求項１】
画像データによる訪問者の個人認証を行う子機が親機と通信可能に接続されたカメラ付きインターフォンシステムであって、
上記子機が、
訪問者の画像データを取得するカメラを含む画像取得手段と、
訪問者が親機とのインターフォン通話を行うインターフォン通話手段と、
訪問者の画像データが予め登録されると共に応答を拒否し不対応とする訪問者の画像データが登録されたブラックリストを含むデータベースと、
これらに接続された制御部と、
を備え、上記制御部が、
上記画像取得手段で得た訪問者の画像データと上記ブラックリストを含む上記データベースに登録されている画像データとを照合して個人認証を行い、照合結果に基づき登録の有無を判定する登録判定手段と、
上記登録判定手段で未登録の場合にのみ、上記画像取得手段で得た画像データを上記親機に送ると共に上記通話手段と親機との間のインターフォン通話を行う画像付インターフォン通話制御手段と、
上記登録判定手段において、上記データベースのブラックリスト以外の領域に画像データが登録されている場合には外部セキュリティ機能機器にセキュリティ機能解除信号を送り、上記ブラックリストに画像データが登録されている場合には不対応とするセキュリティ制御手段と、
を備えたことを特徴とするカメラ付きインターフォンシステム。
【請求項２】
上記制御部が、上記画像付インターフォン通話制御手段による画像付インターフォン通話後の上記親機からのブラックリスト登録指令に従って、該訪問者の画像データを上記データベースのブラックリストに登録するブラックリスト登録手段をさらに備えたことを特徴とする請求項１に記載のカメラ付きインターフォンシステム。
【請求項３】
上記親機及び子機の少なくとも一方が複数設けられ、通信網で接続されていることを特徴とする請求項１または２に記載のカメラ付きインターフォンシステム。
【発明の詳細な説明】
【技術分野】
【０００１】
この発明は、セキュリティシステムのうちの１つであるカメラ付きインターフォンシステム、特に訪問者に関するブラックリストのデータを有効に利用したものに関する。
【背景技術】
【０００２】
従来、セキュリティシステムである画像照合装置において、被照合者がキーボードから入力した暗証番号を内蔵の暗証番号と照合し、照合一致が得られると、指画像取込みモードにして、被照合者がプリズム上に指を当接すると、その画像がカメラによって撮像され、指画像と内蔵の指画像データとを照合し、照合一致が得られると、ドアの解錠操作を行ない、照合不一致が得られると、被照合者の画像取込みモードとし、被照合者の画像を監視窓を介してカメラで撮像して画像メモリに記憶し、指令等に従って監視センタのホストコンピュータに送る、というものがあった(例えば特許文献１参照)。
【０００３】
【特許文献１】特開平７−９３５４８号公報
【発明の開示】
【発明が解決しようとする課題】
【０００４】
このような従来の装置では、例えば強引なセールスマンや不審者等が含まれる対応不要な訪問者である上記被照合者の画像は画像メモリに記憶され、指令等に従って監視センタに送られるだけなので、画像照合装置で該被照合者がその後再び認証処理を行う度に、同様の暗証番号及び指画像の照合等の認証処理が行われることになり、処理効率が悪いという問題があった。
【０００５】
この発明は、セキュリティシステムのうちのインターフォンシステム、特に、子機側のカメラで撮った訪問者の画像をインターフォン通話の際に親機に送って親機側で確認できるカメラ付きインターフォンシステムにおいて、不対応とする訪問者の画像をブラックリストに登録しておき、該訪問者に対しては画像付インターフォン通話及びセキュリティ機能解除等を一切行わない不対応とすることで、処理効率を向上させたものを提供することを目的とする。
【課題を解決するための手段】
【０００６】
この発明は、画像データによる訪問者の個人認証を行う子機が親機と通信可能に接続されたカメラ付きインターフォンシステムであって、上記子機が、訪問者の画像データを取得するカメラを含む画像取得手段と、訪問者が親機とのインターフォン通話を行うインターフォン通話手段と、訪問者の画像データが予め登録されると共に応答を拒否し不対応とする訪問者の画像データが登録されたブラックリストを含むデータベースと、これらに接続された制御部と、を備え、上記制御部が、上記画像取得手段で得た訪問者の画像データと上記ブラックリストを含む上記データベースに登録されている画像データとを照合して個人認証を行い、照合結果に基づき登録の有無を判定する登録判定手段と、上記登録判定手段で未登録の場合にのみ、上記画像取得手段で得た画像データを上記親機に送ると共に上記通話手段と親機との間のインターフォン通話を行う画像付インターフォン通話制御手段と、上記登録判定手段において、上記データベースのブラックリスト以外の領域に画像データが登録されている場合には外部セキュリティ機能機器にセキュリティ機能解除信号を送り、上記ブラックリストに画像データが登録されている場合には不対応とするセキュリティ制御手段と、を備えたことを特徴とするカメラ付きインターフォンシステムにある。
【発明の効果】
【０００７】
この発明では、ブラックリストに登録された訪問者に対しては画像付インターフォン通話及びセキュリティ機能解除等を一切行わない不対応とすることで、処理効率の向上を図ったカメラ付きインターフォンシステムを提供できる。
【発明を実施するための最良の形態】
【０００８】
この発明では、カメラ付きインターフォンシステムの子機に、個人認証のためのデータ照合結果が不照合で未登録あった訪問者のブラックリストを持たせ、ブラックリストに登録されているときは画像付インターフォン通話が行われない。
顔画像データがデータベースに未登録の場合、顔画像データ記録を行い、画像付インターフォン通話を行う。画像付インターフォン通話により、顔画像データが未登録の人と直接話ができ、その人の画像を見ることができる。
上記通話の結果、再度通話する必要がない場合に、顔画像データをブラックリストに登録することができる。
一方、データベースに顔画像データが登録されている場合で、ブラックリストに登録してある場合には、画像付インターフォン通話、解錠制御等、何の制御も行わない(不対応)。これにより通話する必要がない訪問者をブラックリストに登録しておけば、再度対応する必要がなくなる。これにより通信が従量制課金の場合、発信側で抑制するので、不要な通信をなくし、通信費を節約することができる。なお、親機及び子機は複数あってもよい。
【０００９】
図１はこの発明によるカメラ付きインターフォンシステムの構成の一例を示す図である。インターフォンシステムの子機３は通信線１により親機２と通信可能に接続されている。子機３はこれが設置されている例えば機密エリアへ入退室するためのドア４のセキュリティ機能機器である電気錠４ａの施解錠制御を行う。
【００１０】
子機３は、訪問者が呼出操作等を行うための呼出釦等を含む入力手段３４、訪問者の画像データである例えば顔画像を撮るためのカメラ３６及びこのカメラ３６で得た顔画像の画像処理を行い顔画像データを生成する画像処理部３２、訪問者が子機３から通信線１を介して親機２との間でインターフォン通話を行うためのマイク３７、スピーカ３８及びこれらのための音声コーデック部３３、予め承認(例えば子機３が設置されている機密エリア内への入室許可の承認)された各訪問者の顔画像データ３０１及び不対応とする訪問者の顔画像データを格納する顔画像データのブラックリスト３０３が登録されているデータベースＤＢ、及びこれらから得られる信号や情報に従って各種制御を行うコンピュータからなる制御部３１、を備える。
【００１１】
カメラ３６，画像処理部３２が画像取得手段を構成し、音声コーデック部３３，マイク３７，スピーカ３８がインターフォン通話手段を構成する。
【００１２】
なお親機２は、子機３に対しての指令等を操作者が入力するための例えば複数の入力キー等からなる入力手段２４、通信線１を介して子機３を操作する訪問者との間でインターフォン通話を行うためのマイク２７、スピーカ２８及びこれらのための音声コーデック部２３、子機３から送られてくる訪問者の顔画像データをモニタするためのモニタ２６と顔画像データからモニタ画像を生成してモニタに表示するモニタ制御部２２、及びこれらから得られる信号や情報に従って各種制御を行うコンピュータからなる制御部２１、を備える。
【００１３】
図２には図１のカメラ付きインターフォンシステムの動作の一例を示す概略的なフローチャートを示し、以下動作を説明する。このフローチャートは制御部３１の動作を基に示されている。訪問者の操作により呼出釦等を含む入力手段３４から呼出要求があると(ステップＳ１)、カメラ３６で該訪問者の例えば顔を撮像し画像処理部３２で顔画像データを得る(ステップＳ２)。取得された顔画像データはデータベースＤＢ内のブラックリスト３０３も含む顔画像データと照合されて個人認証が行われ、照合結果に基づき登録の有無が判定される(ステップＳ３)。
【００１４】
登録が無い場合には、該顔画像データを制御部３１内のメモリ３１ａに一時的に記録する(ステップＳ４)。そして該顔画像データを親機２に送ると共に、マイク３７，スピーカ３８，音声コーデック部３３からなる子機側の通話手段と、マイク２７，スピーカ２８，音声コーデック部２３からなる親機側の通話手段との間でインターフォン通話を行う画像付インターフォン通話を可能にその制御を行う(ステップＳ５)。
【００１５】
親機２側では、操作者はモニタ２６で顔画像データを見ながら、上記親機側の通話手段で訪問者と通話を行うことができる。そして通話の結果、操作者が入力キー等からなる入力手段２４を操作して、該訪問者の顔画像データをブラックリスト３０３に登録するか否かが入力される。また本実施の形態のように、ドア４の電気錠４ａの施解錠制御と組み合わされている場合には、該訪問者に対してドア４の電気錠４ａの解錠を認め機密エリア内への入室を許可するか否か、が入力される。
【００１６】
子機側の制御部３１は上記入力に従い、ブラックリスト登録指令、遠隔解錠指令を受ける。そしてブラックリスト登録指令を受けた場合には(ステップＳ６)、メモリ３１ａに記録されている顔画像データをデータベースＤＢのブラックリスト３０３に登録する(ステップＳ７)。一方、ブラックリスト登録をせず、例えば上記遠隔解錠指令を受けた場合には(ステップＳ９)、外部セキュリティ機能機器であるドア４の電気錠４ａにセキュリティ機能解除信号である解錠信号を送り、解錠制御を行う(ステップＳ１０)。
【００１７】
ステップＳ３に戻り、取得された顔画像データが照合の結果、データベースＤＢ内に登録されており(ステップＳ３)、さらにブラックリスト３０３内に登録済みの場合には(ステップＳ８)、該訪問者に対しては不対応とする。これにより該訪問者に対しては、上述の画像付インターフォン通話及びセキュリティ機能解除等の対応が一切行われないことになる。また、取得された顔画像データがデータベースＤＢ内の通常の領域(３０１)に登録されており、ブラックリスト３０３には未登録の場合には、外部セキュリティ機能機器であるドア４の電気錠４ａにセキュリティ機能解除信号である解錠信号を送り、解錠制御を行う(ステップＳ１０)。
【００１８】
なお、ステップＳ３が登録判定手段、ステップＳ５が画像付インターフォン通話制御手段、ステップＳ６〜Ｓ７がブラックリスト登録手段、ステップＳ８，Ｓ１０がセキュリティ制御手段をそれぞれ構成する。
【００１９】
なお上記説明では、本カメラ付きインターフォンシステムがドアの電気錠と組み合わされているが、この発明はこれに限定されず、種々の外部セキュリティ機能機器と組合せ可能であり、さらに、必ずしも外部セキュリティ機能機器と組み合わされる必要はない。
【００２０】
また、訪問者の画像は顔画像に限定されず、カメラで撮像された指紋画像等を使用してもよい。
【００２１】
さらに上記説明では、１つの子機３と１つの親機２が通信線１により接続されている構成であったが、例えば図３に示すように、複数の子機３と複数の親機２が通信網１０により接続されている構成であってもよく、すなわち、親機２及び子機３の少なくとも一方が複数設けられ通信網１０で接続されている構成としてもよい。この場合には、例えば各親機２及び子機３にＩＰ(Internet Protocol)アドレスを割り当て、ＩＰベースで通信を行うＩＰインターフォン等で実施することができる。
【００２２】
図４には親機２が複数の場合のこの発明によるカメラ付きインターフォンシステムの構成の一例を示す図、図５には図４に示すカメラ付インターフォンシステムの動作の一例を示す概略的なフローチャートを示す。図４及び図５において、図１及び図２と同一もしくは相当部分は同一符号で示し説明は省略する。図４において、各親機２はそれぞれ同じ構造を有し、１つの子機３について説明すると、子機３のデータベースＤＢには、親機ＩＰアドレスデータ３０４が格納され、親機名称とＩＰアドレスが登録されている。親機２が複数の場合、親機２にＩＰアドレスを割り付け、ＩＰベースで通信を行う。
【００２３】
次に動作を説明する。図５において、ステップＳ４までは図２と同じである。ステップＳ４で顔画像データを記録した後、登録された親機２が１台のみの場合は制御部３１により自動的に当該親機２に接続される(ステップＳ４１)。また、登録された親機２が複数の場合は、入力手段３４からの入力に従って親機２を選択する(ステップＳ４２)。親機２の選択は名称を選択してもＩＰアドレスを直接選択してもよい。そして入力手段３４から入力信号に基づき制御部３１がデータベースＤＢの親機ＩＰアドレスデータ３０４からＩＰアドレスを呼び出し、当該親機２に接続する。ステップＳ５以降は図２と同じであり説明を省略する。
【００２４】
また、子機３も複数の場合には、同様に子機３にも子機名称とＩＰアドレスを割り付け、親機２、子機３それぞれに子機ＩＰアドレスデータ、親機ＩＰアドレスデータを持たせて、通信信号に送信側と受信側のＩＰアドレスを付すことで、ＩＰベースで通信を行う。
【図面の簡単な説明】
【００２５】
【図１】この発明によるカメラ付きインターフォンシステムの構成の一例を示す図である。
【図２】この発明によるカメラ付きインターフォンシステムの動作の一例を示す概略的なフローチャートである。
【図３】親機及び子機が複数の場合のこの発明によるカメラ付きインターフォンシステムの構成の別の例を示す図である。
【図４】親機が複数の場合のこの発明によるカメラ付きインターフォンシステムの構成の一例を示す図である。
【図５】親機が複数の場合のこの発明によるカメラ付きインターフォンシステムの動作の一例を示す概略的なフローチャートである。
【符号の説明】
【００２６】
１  通信線、２  親機、３  子機、４  ドア、４ａ  電気錠、１０  通信網、２１，３１  制御部、２２  モニタ制御部、２３，３３  音声コーデック部、２４，３４  入力手段、２６  モニタ、２７，３７  マイク、２８，３８  スピーカ、３１ａ  メモリ、３２  画像処理部、３６  カメラ、３０１  顔画像データ、３０３  ブラックリスト、３０４  親機ＩＰアドレスデータ、ＤＢ  データベース。
【図１】
0004755014.tif 000002
【図２】
0004755014.tif 000003
【図３】
0004755014.tif 000004
【図４】
0004755014.tif 000005
【図５】
0004755014.tif 000006